(57)【要約】【課題】  この発明は、記録動作中においてＨＤＤに異常等が発生した場合にも、記録すべき画像が欠落しにくくなる映像記録機器を提供することを目的とする。【解決手段】  映像を記録するためのＨＤＤ装置を備えた映像記録機器において、記録用の映像データを一時的に蓄積するための記録用メモリ、再生用の映像データを一時的に蓄積するための再生用メモリ、ならびにＨＤＤ装置の応答が遅くなったときに、再生用メモリを記録用の映像データを蓄積するためのメモリとして使用できる状態にさせる手段を備えている。【選択図】  図１
2006269031.tif 000002
【特許請求の範囲】
【請求項１】
映像を記録するためのＨＤＤ装置を備えた映像記録機器において、
記録用の映像データを一時的に蓄積するための記録用メモリ、
再生用の映像データを一時的に蓄積するための再生用メモリ、ならびに
ＨＤＤ装置の応答が遅くなったときに、再生用メモリを記録用の映像データを蓄積するためのメモリとして使用できる状態にさせる手段、
を備えていることを特徴とする映像記録機器。
【請求項２】
映像を記録するためのＨＤＤ装置を備えた映像記録機器において、
記録用の映像データを一時的に蓄積するための記録用メモリ、
再生用の映像データを一時的に蓄積するための再生用メモリ、ならびに
記録と再生とが同時に行なわれてる場合に、ＨＤＤ装置の応答が遅くなったときには、再生動作を停止させるとともに、再生用メモリを記録用の映像データを蓄積するためのメモリとして使用できる状態にさせる手段、
を備えていることを特徴とする映像記録機器。
【発明の詳細な説明】
【技術分野】
【０００１】
この発明は、映像を記録するためのＨＤＤ装置を備えた映像記録機器に関する。
【背景技術】
【０００２】
監視用映像記録機器として、映像を記録するためのＨＤＤ装置を備えた映像記録機器がある。このような映像記録機器では、入力された監視映像が一旦、画像メモリに蓄積される。画像メモリに蓄積された映像データは圧縮された後、再度、画像メモリに蓄積される。そして、この圧縮データが画像メモリから順次読み出されて、ＨＤＤ装置に送られる。      
【０００３】
監視用映像記録機器においては、ビデオカメラで撮像された監視映像を連続的に記録し続ける必要がある。しかしながら、ＨＤＤ装置を使用した映像記録機器においては、記録時及び再生時にかかわらず、ＨＤＤに異常があった場合には、ＨＤＤ装置側で代替処理を行うようなシステムが採用されている。
【０００４】
代替処理はセクター毎に行われるが、代替セクターが無限に存在するわけではないため、代替処理を行うか否かの判定に時間がかかり、代替処理に最悪３０秒以上かかる場合が発生する。
【０００５】
監視映像を連続的に記録し続ける必要がある映像記録機器において、このような代替処理が発生した場合には、代替処理が行なわれている期間の間に入力される監視映像等を画像メモリに保持させておく必要がある。しかしながら、画像メモリの容量には制限があるため、代替処理中や、代替処理を行なわなくても記録中または再生中のセクターが使用可能か否かの判定を行なっている間に、記録すべき画像が抜けてしまうおそれがある。
【特許文献１】特開平８−２０３１０７号公報
【発明の開示】
【発明が解決しようとする課題】
【０００６】
この発明は、記録動作中においてＨＤＤに異常等が発生した場合にも、記録すべき画像が欠落しにくくなる映像記録機器を提供することを目的とする。
【課題を解決するための手段】
【０００７】
請求項１に記載の発明は、映像を記録するためのＨＤＤ装置を備えた映像記録機器において、記録用の映像データを一時的に蓄積するための記録用メモリ、再生用の映像データを一時的に蓄積するための再生用メモリ、ならびにＨＤＤ装置の応答が遅くなったときに、再生用メモリを記録用の映像データを蓄積するためのメモリとして使用できる状態にさせる手段を備えていることを特徴とする。
【０００８】
請求項２に記載の発明は、映像を記録するためのＨＤＤ装置を備えた映像記録機器において、記録用の映像データを一時的に蓄積するための記録用メモリ、再生用の映像データを一時的に蓄積するための再生用メモリ、ならびに記録と再生とが同時に行なわれてる場合に、ＨＤＤ装置の応答が遅くなったときには、再生動作を停止させるとともに、再生用メモリを記録用の映像データを蓄積するためのメモリとして使用できる状態にさせる手段を備えていることを特徴とする。
【発明の効果】
【０００９】
この発明によれば、記録動作中においてＨＤＤに異常等が発生した場合にも、記録すべき画像が欠落しにくくなる。
【発明を実施するための最良の形態】
【００１０】
以下、図面を参照して、この発明の実施例について説明する。
【実施例１】
【００１１】
図１は、監視用映像記録機器の概略構成を示している。
【００１２】
記録されるビデオ信号Video ＿inは、ビデオデコーダ１によってＡ／Ｄ変換され、バスラインを経由して、ＳＤＲＡＭ等の画像メモリ３に一旦蓄積される。画像メモリ３に蓄積されたビデオ信号は、記録用と記録信号確認用のＥＥ信号とに分配される。確認用ビデオ信号は、ビデオエンコーダ４によってＤ／Ａ変換され、ビデオ信号Video ＿out として出力される。この信号Video ＿out は、図示しないモニタに送られて表示される。記録用ビデオ信号は、バスラインを経由してＭＪＰＥＧコーデック５に送られて圧縮された後、再度、画像メモリ３に蓄積される。画像メモリ３に蓄積された圧縮データは、ＨＤＤ装置６に記録可能になった時点で、バスラインを経由してＨＤＤ装置６に記録される。
【００１３】
再生時には、ＨＤＤ装置６から読み出された圧縮データはバスラインを経由して、画像メモリ３に一旦蓄積される。そして、再度バスラインを経由してＭＪＰＥＧコーデック５に送られて伸張された後、再度、画像メモリ３に蓄積される。画像メモリ３に蓄積された伸張後のビデオ信号は、ビデオエンコーダ４によってＤ／Ａ変換された後、ビデオ信号Video ＿out として出力される。
【００１４】
なお、画像メモリ３は、メモリ制御回路２によって制御される。また、監視用映像記録機器の各部は、ＣＰＵ１０によって制御される。
【００１５】
画像メモリ３には、図２に示すように、記録用に用いられるデータを記録する記録用メモリ領域（記録用メモリ）Ｅ１、再生用に用いられるデータを記録する再生用メモリ領域（再生用メモリ）Ｅ２とが設けられている。
【００１６】
今、記録動作と再生動作とが同時に行なわれているとする。この場合には、ビデオデコーダ１によって得られたビデオ信号と、ＭＪＰＥＧコーデック５によって圧縮された圧縮データが画像メモリ３の記録用メモリ領域Ｅ１に貯められ、記録用メモリ領域Ｅ１内から圧縮データが順次読み出されてＨＤＤ装置６に送られる。
【００１７】
一方、ＨＤＤ装置６から読み出された圧縮データと、ＭＪＰＥＧコーデック５によって伸張されたビデオ信号が画像メモリ３の再生用メモリ領域Ｅ２に貯められ、再生用メモリ領域Ｅ２内の伸張後のビデオ信号が順次読み出されてビデオエンコーダ４に送られる。
【００１８】
ＨＤＤ装置６は、その記録および再生における転送レートの早さにより、同時録画再生を可能としているが、実際にはＨＤＤ装置６の内部回路にもメモリを持っており、内部的にメカ動作及びサーボ動作などの時間の係る部分による時間を吸収することにより、平均転送レートを上げている。
【００１９】
しかしながら、ＨＤＤ装置６の転送レートの早さを維持できるのは、ＨＤＤ装置６が正常に動作していることが前提であり、ＨＤＤ装置６の異常により代替処理等を開始した場合には、ＣＰＵ１０によるＨＤＤ装置６に対するデータの書き込み及び読み出しはできなくなる。
【００２０】
このような場合には、ＣＰＵ１０は、再生動作を停止させ、画像メモリ３の再生用メモリ領域Ｅ２を記録用として使用できるようにする。つまり、画像メモリ３の記録用メモリ領域Ｅ１と再生用メモリ領域Ｅ２との両方の領域を、記録用に用いられるデータを蓄えるための記録用メモリ領域として用いる。
【００２１】
このようにすると、代替処理中においても、画像メモリ３に記録用に用いられるデータをより多く蓄積することができるため、記録すべき画像が欠落しにくくなる。
【００２２】
図３は、同時録画再生時のＣＰＵ１０によるメモリ制御処理手順を示している。
【００２３】
同時録画再生中において、ＣＰＵ１０は、ＨＤＤ装置６の応答状態をチェックする（ステップＳ１）。そして、ＨＤＤ装置６の応答が遅い否かを判別する（ステップＳ２）。例えば、代替処理が行なわれる場合には、ＨＤＤ装置６の応答が遅くなる。
【００２４】
ＨＤＤ装置６の応答が遅くない場合には、ステップＳ１に戻る。上記ステップＳ２において、ＨＤＤ装置６の応答が遅いと判別した場合には、ＣＰＵ１０は、再生動作が継続しているか否かを判別する（ステップＳ３）。再生動作が継続している場合には、ＣＰＵ１０は、再生動作を停止させた後（ステップＳ４）、画像メモリ３の再生用メモリ領域Ｅ２を記録用メモリ領域として使用できる状態にする（ステップＳ５）。これにより、画像メモリ３の記録用メモリ領域Ｅ１と再生用メモリ領域Ｅ２との両方の領域が、記録用に用いられるデータを蓄えるための記録用メモリ領域として使用できるようになる。そして、ステップＳ１に戻る。上記ステップＳ３において、再生動作が停止している場合には、ステップＳ５に移行する。
【図面の簡単な説明】
【００２５】
【図１】監視用映像記録機器の概略構成を示すブロック図である。
【図２】画像メモリ３に設定された記録用メモリ領域（記録用メモリ）Ｅ１と、再生用メモリ領域（再生用メモリ）Ｅ２とを示す模式図である。
【図３】同時録画再生時のＣＰＵ１０によるメモリ制御処理手順を示すフローチャートである。
【符号の説明】
【００２６】
１  ビデオデコーダ
３  画像メモリ
４  ビデオエンコーダ
５  ＭＪＰＥＧコーデック
６  ＨＤＤ装置
１０  ＣＰＵ
Ｅ１  記録用メモリ領域（記録用メモリ）
Ｅ２  再生用メモリ領域（再生用メモリ）
【図１】
2006269031.tif 000003
【図２】
2006269031.tif 000004
【図３】
2006269031.tif 000005